(57)【特許請求の範囲】
【請求項１】
既設のコンクリート構造物の表面を被覆材料で被覆することにより補修するコンクリート構造物の補修方法において、
前記表面にポリウレタン樹脂を溶剤に溶かしたものを塗布して、前記表面からポリウレタン樹脂を前記構造物中に含浸させて固化させることにより、前記表面に不透水含浸コーティング層を形成し、
該不透水含浸コーティング層上に、ウレタン樹脂と疎水性樹脂の複合体からなる高粘性ゴム物質を塗布して、硬化しないで常時粘性を持続する弾力のある不乾燥性粘着接着剤層を形成し、
該不乾燥性粘着接着剤層上に、遮水シート部材を接着させて構成した、コンクリート構造物の補修方法。
【請求項２】
遮水シート部材は、不織布層と該不織布層上に形成された不透水性シート層からなり、
前記遮水シート部材を、前記不乾燥性粘着接着剤層上に、前記不織布層を介して接着して構成した、請求項１記載のコンクリート構造物の補修方法。
【請求項３】
前記コンクリート構造物は、屋根である、請求項１記載のコンクリート構造物の補修方法。
【発明の詳細な説明】
【０００１】
【発明の属する技術分野】
本発明は、中性化やひび割れなどで劣化した既設コンクリート構造物の屋根などを補修する際に適用するに好適な、コンクリート構造物の補修方法に関する。
【０００２】
【従来の技術】
最近、劣化したコンクリート構造物を補修して、その寿命の延長を図る試みが多くなされている。こうした場合の補修方法として、劣化したコンクリート表面にアスファルトや樹脂を塗布する方法や、シートで構造物を被覆する方法が用いられる。
【０００３】
【発明が解決しようとする課題】
アスファルトや樹脂塗膜による防水は、単に劣化したコンクリート表面にアスファルトを塗るだけなので、その寿命が短く、劣化を長期間に渡りくい止めることは出来ない。
【０００４】
シートで被覆する方法は、シートを接合する際の継ぎ手部が弱点となり、漏水する原因となる。また、シート防水はコンクリート表面に敷いた上にシンダーコンクリートを打設する構造のため、シート下面に浸入する水を防ぐことができない。
【０００５】
本発明は、上記した事情に鑑み、漏水及び劣化を長期的にくい止めることが出来る、コンクリート構造物の補修方法を提供することを目的とする。
【０００６】
【課題を解決するための手段】
請求項１の発明は、既設のコンクリート構造物（１）の表面（２ａ）を被覆材料で被覆することにより補修するコンクリート構造物の補修方法において、
前記表面にポリウレタン樹脂を溶剤に溶かしたものを塗布して、前記表面からポリウレタン樹脂を前記構造物中に含浸させて固化させることにより、前記表面に不透水含浸コーティング層（３）を形成し、
該不透水含浸コーティング層上に、ウレタン樹脂と疎水性樹脂の複合体からなる高粘性ゴム物質を塗布して、硬化しないで常時粘性を持続する弾力のある不乾燥性粘着接着剤層（５）を形成し、
該不乾燥性粘着接着剤層上に、遮水シート部材（６）を接着させて構成される。
【０００７】
請求項２の発明は、遮水シート部材（６）は、不織布層（７）と該不織布層上に形成された不透水性シート層（９）からなり、
前記遮水シート部材（６）を、前記不乾燥性粘着接着剤層（５）上に、前記不織布層（７）を介して接着して構成される。
【０００８】
請求項３の発明は、前記コンクリート構造物は、屋根で構成される。。
【０００９】
【発明の効果】
請求項１の発明によれば、遮水シート部材（６），不乾燥性粘着接着剤層（５）及び不透水含浸コーティング層（３）が、すべて不透水性を有し、更に、上下の不透水層である遮水シート部材（６）及び不透水含浸コーティング層（３）は、中間に柔軟で粘着性を有する不乾燥性粘着接着剤層（５）が介在する形で積層形成されている。従って、仮に、どちらかにひび割れなどの損傷が生じても、粘着性を有する不乾燥性粘着接着剤層（５）が、そうした損傷が、遮水シート部材（６）からコンクリート表面（２ａ）にまで進行することを防止するので、不透水性が長期間に渡り維持される。
【００１０】
また、補修されたコンクリート構造物１が、その後の時間の経過により伸縮したり、ひび割れしたりしたとしても、常時粘性を有する不乾燥性粘着接着剤層（５）がそうした伸縮やひび割れに伴う寸法変動を吸収することが出来るので、そうした寸法変動が遮水シート部材（６）にまで伝わることが防止され、遮水性は長期間に渡り維持される。
【００１１】
請求項２の発明によると、不織布層（７）は、表面が凹凸に富むことから、不乾燥性粘着接着剤層（５）の接着剤が当該凹凸に入り込む形で強固に接着され、遮水シート部材（６）は、上部の不透水性シート層（９）により高い遮水性が付与された形で配置形成される。
【００１２】
請求項３の発明によると、コンクリート構造物で劣化しやすい屋根を効果的に補修することが出来る。
【００１３】
なお、括弧内の番号等は、図面における対応する要素を示す便宜的なものであり、従って、本記述は図面上の記載に限定拘束されるものではない。
【００１４】
【発明の実施の形態】
図１は、本発明によるコンクリート構造物の補修方法が適用された既存コンクリート構造物の一例を示す図。
【００１５】
既存のコンクリート構造物１は、図１に示すように、構築から数十年を経たコンクリート躯体２を有しており、コンクリート躯体の表面２ａは、それまでの劣化したモルタル表面が清掃され、所定の厚さに渡りモルタルが除去された状態となっている。
【００１６】
表面２ａには、ポリウレタン系の不透水含浸コーティング層３が形成されており、該不透水含浸コーティング層３の上部には、ウレタン樹脂と疎水性樹脂の複合体からなる高粘性ゴム物質からなる、不乾燥性粘着接着剤層５が形成されている。不乾燥性粘着接着剤層５は、塗布後においても、乾燥せず、何時までのその粘性を維持することが出来、接着性を持続する性質を有するものであり、不透水性である。
【００１７】
不乾燥性粘着接着剤層５の上部には、複合シート層６が形成されており、複合シート層６は、不乾燥性粘着接着剤層５と接合されるポリスチレン系の不織布層７及び、該不織布層７の上部に形成されたポリプロピレン系の不透水性シート層９からなり、両者は一体に成形されている。
【００１８】
コンクリート構造物１などは、以上のような構成を有するので、構築から数十年を経たコンクリート躯体２を補修する場合には、まず、コンクリート躯体２の表面２ａを、所定厚さに渡り表面モルタルを除去清掃し、中性化して劣化した躯体表面部分を除去する。
【００１９】
次に、該清掃された表面２ａに、ポリウレタン樹脂を溶剤に溶かしたものを塗布し、不透水含浸コーティング層３を形成する。この際、表面２ａに塗布されたポリウレタン樹脂は、表面２ａに形成された劣化に基づく微細なひび割れや隙間に浸み込んで行き、周囲の湿気を吸収してコンクリートと一体化する形で固化し、結果的に表面２ａには、所定厚さの不透水性含浸コーティング層３が形成される。不透水性含浸コーティング層３は、既に述べたように、そのコンクリート表面２ａ側が、コンクリート内部に含浸した形で形成されるで、コンクリート表面２ａに対して強固に固定され、剥離しにくい状態で形成される。
【００２０】
また、不透水性含浸コーティング層３は、水密性に富み、また、高い耐薬品性を有するので、耐久性に富み、コンクリートの中性化を強力に阻止することが出来る。
【００２１】
こうして、不透水性含浸コーティング層３が形成されたところで、ウレタン樹脂と疎水性樹脂を混合した疎水性不乾性ゴム弾性ウレタン接着剤（例えば、商品名：「ペネットシール」、株式会社ソテック製）を、該不透水性含浸コーティング層３上に塗布して、不乾燥性粘着接着剤層５を形成する。この不乾燥性粘着接着剤層５は、高粘性ゴム状融合性を有し、硬化しない弾性材料で、当該不乾燥性粘着接着剤層５は、層の形成後に切断しても、切断された部材を合わせることにより、再度融合一体化し、クラックなどが生じるようなことはない。従って、常時粘性を有することから、不透水性含浸コーティング層３と共に協同して高い粘着保持性を発揮し、弾力のある不透水層を不透水性含浸コーティング層３と共に形成することが出来る。
【００２２】
不乾燥性粘着接着剤層５が形成されたところで、該層５の上に、複合シート層６を、不織布層７を不乾燥性粘着接着剤層５上に接着させる形で敷設し、補修を完了させる。不織布層７は、表面が凹凸に富むことから、不乾燥性粘着接着剤層５の接着剤が当該凹凸に入り込む形で強固に接着され、複合シート層６は、上部の不透水性シート層９により高い遮水性が付与された形で配置形成される。
【００２３】
こうして補修されたコンクリート構造物１は、その後の時間の経過によりコンクリート構造物１が伸縮したり、ひび割れしたりしたとしても、常時粘性を有する不乾燥性粘着接着剤層５がそうした伸縮やひび割れに伴う寸法変動を吸収することが出来るので、不透水性シート層９が影響を受けることは少なく、遮水性が長期間に渡り維持される。
【００２４】
また、不透水性シート層９，不乾燥性粘着接着剤層５及び不透水含浸コーティング層３が、すべて不透水性を有し、更に、上下の不透水層である不透水性シート層９及び不透水含浸コーティング層３は、中間に柔軟で粘着性を有する不乾燥性粘着接着剤層５が介在する形で積層形成されている。従って、仮に、どちらかにひび割れなどの損傷が生じても、粘着性を有する不乾燥性粘着接着剤層５が、そうした損傷が、図中縦方向、即ちコンクリート表面２ａ側に進行貫通することを防止するので、不透水性が長期間に渡り維持される。
【００２５】
なを、本発明は、コンクリート構造物の屋根の補修に限らず、どのような部分に対しても適用が可能である。
【図面の簡単な説明】
【図１】図１は、本発明によるコンクリート構造物の補修方法が適用された既存コンクリート構造物の一例を示す図。
【符号の説明】
１……コンクリート構造物
２ａ……表面
３……不透水含浸コーティング層
５……不乾燥性粘着接着剤層
６……遮水シート部材（複合シート層）
７……不織布層
９……不透水性シート層
【図１】
0004237390.tif 000002